(57)【要約】【課題】チェンネル切り替えに伴う映像のアスペクト切り替えが迅速になされていなかった。【解決手段】ＴＶ１１０は、デジタルテレビジョン放送信号に重畳されている各チャンネルの各番組についてのアスペクト比情報を、デジタルテレビジョン放送信号から定期的に抽出して記録媒体５０に記録し、その一方、外部からチャンネルの切り替えの指示を入力した場合には、直ちに当該指示による切り替え先のチャンネルの番組に対応したアスペクト比情報を記録媒体５０から読み出して、スケーラ８０を制御するマイコン９０に通知する。よって、スケーラ８０側へアスペクト比情報を通知するために要する時間を従来と比べて大幅に短縮できる。【選択図】図２
2008141500.tif 000002
【特許請求の範囲】
【請求項１】
デジタル放送信号を受信しデジタル放送信号からトランスポートストリームを抽出するチューナ部と、トランスポートストリームから所定のチャンネルに対応する映像信号を抽出するトランスポート部と、当該抽出された映像信号を復号化するデコード部と、所定の画面上に上記復号された映像信号に基づく映像表示を行なう場合に、通知されたアスペクト比情報に応じて映像のアスペクト比を調整するスケーリング部とを備えるデジタル放送信号受像機において、
受信したデジタル放送信号に含まれているＥＩＴから複数日分の各チャンネルの各番組に対応するアスペクト比情報を取得し当該取得したアスペクト比情報を所定の記録媒体に記録する処理を所定期間毎に行なうとともに、チャンネルの切り替え指示を入力した時に当該切り替え指示による切り替え先のチャンネルの番組に対応するアスペクト比情報を上記記録媒体から読み出し当該読み出したアスペクト比情報を上記スケーリング部に通知する処理を実行する制御部を備えることを特徴とするデジタル放送信号受像機。
【請求項２】
放送信号を受信する受信手段と、受信した放送信号から映像信号を抽出する手段と、所定の画面上に上記映像信号に基づく映像表示を行なう場合に、通知されたアスペクト比情報に応じて映像のアスペクト比を調整するスケーリング手段とを備える放送信号受信装置において、
放送信号の各チャンネルの各番組に対応するアスペクト比情報を所定の記録媒体に記録する記録手段と、
チャンネルの切り替え指示を入力した時に、当該切り替え指示による切り替え先のチャンネルの番組に対応するアスペクト比情報を上記記録媒体から読み出すとともに当該読み出したアスペクト比情報を上記スケーリング手段に通知する通知手段とを備えることを特徴とする放送信号受信装置。
【請求項３】
上記記録手段は、上記受信手段によって受信した放送信号に含まれる情報テーブルであって各番組に関する情報を記述したテーブルから各番組に対応するアスペクト比情報を取得するとともに、この取得したアスペクト比情報を上記記録媒体に記録することを特徴とする請求項２に記載の放送信号受信装置。
【請求項４】
上記通知手段は、上記切り替え先のチャンネルの番組に対応するアスペクト比情報が、切り替え前のチャンネルの番組に対応するアスペクト比情報と異なる場合にのみ上記通知を行なうことを特徴とする請求項２または請求項３のいずれかに記載の放送信号受信装置。
【発明の詳細な説明】
【技術分野】
【０００１】
本発明は、デジタル放送信号受像機および放送信号受信装置に関する。
【背景技術】
【０００２】
従来より、視聴するチャンネルの切り替えに応じて映像のアスペクト比（横対縦の比）を自動で切り替えて映像表示するテレビジョンが知られている。放送信号に含まれる映像信号には、映像のアスペクト比を示す識別信号が所定の周期間隔（例えば、１フレーム）で書き込まれているため、テレビジョンは、視聴対象として選択されたチャンネルの映像信号を放送信号から抽出しこの映像信号を復号化することにより、選択のチャンネルにかかる映像のアスペクト比をあるタイミングで取得できる。そして、このように取得したアスペクト比を、映像のアスペクト比変換を行なうスケーラに通知し、スケーラにテレビジョンの画面に表示する映像のアスペクト比を切り替えさせることにより、上記選択されたチャンネルの映像をその映像に適したアスペクト比によって表示することができる。
【０００３】
また関連する技術として、映像信号の所定位置をサンプリングして映像信号がいかなる映像ソースであるかを判別し、この判別結果に基づき、その映像ソースに応じた最適な画像となるように、受像管に表示される画像をアスペクト変換するテレビジョン受像機（特許文献１参照。）や、入力映像信号に多重されたパイロット信号に基づいて入力映像信号のアスペクト比を識別し、この識別結果に基づく表示状態で入力映像信号を表示画面に表示するテレビジョン受像機（特許文献２参照。）が知られている。
その他、テレビジョンの持つ各種機能（アスペクト切り替え機能を含む。）を各操作手段によって好みの状態で予め設定し、その設定を記憶しておき、後日、再現手段によって、当該記憶した好みの状態を再現する電子制御装置（特許文献３参照。）や、アスペクト比の異なる入力信号をワイドアスペクト画面に拡大可能なテレビジョン受像機で、表示モードと拡大倍率の指定を各々１個のキー操作で出来るようにしたもの（特許文献４参照。）が知られている。
【特許文献１】特開平７‐９９６１５号公報
【特許文献２】特開平７‐３１２７２８号公報
【特許文献３】特開平８‐５６３１３号公報
【特許文献４】特開平５‐９１４３５号公報
【発明の開示】
【発明が解決しようとする課題】
【０００４】
従来のような、アスペクト比のスケーラへの通知手法では、以下に述べるような課題があった。つまり上述したように、テレビジョンは、チャンネル切り替え先の映像信号を復号化し、この映像信号に周期的に書き込まれている上記識別信号をあるタイミングで読み出すことにより、切り替え先のチャンネルのアスペクト比を取得する。従って、チャンネルが切り替えられた後、切り替え先のチャンネルのアスペクト比の情報が上記スケーラに通知されるまでには幾らかの時間差が生じていた。そのため、チャンネル切り替え後の短い期間においては、スケーラによるアスペクト比の変更が実際の映像出力よりも遅れ、チャンネル切り替え前のアスペクト比のままチャンネル切り替え後の映像が表示されてしまうという不適切な現象が生じていた。
【０００５】
かかる現象を具体的に説明すると図４のようになる。
図４は、従来のアスペクト比の通知手法を適用した場合のテレビジョンの画面１００ｂにおける表示の切り替わりを示している。同図では、画面１００ｂは横縦比が１６：９であるとする。また、同図では、チャンネル切り替え前に表示していた映像のアスペクト比は４：３であり、切り替え後に表示する映像のアスペクト比は１６：９であるものとする。
図４（ａ）は、ユーザのリモートコントロール装置等の操作によってチャンネルを切り替える指示をテレビジョンが入力した直後の選局処理中の画面１００ｂを示している。選局処理中においては、それまで選択されていたチャンネルの映像から、新たに選択されたチャンネルの映像へと表示を切り替える最中であり、この間はテレビジョンは便宜的にブランキング映像（黒画面表示）を画面１００ｂに表示させている。
【０００６】
図４（ｂ）は、上記選局処理が終わり、チャンネル切り替え先の映像信号が画面１００ｂに出力されるようになった瞬間を示している。この時、画面１００ｂにはチャンネル切り替え先の映像信号が表示されるものの、スケーラには、チャンネル切り替え先の映像信号に対応するアスペクト比がまだ通知されていないため、映像のアスペクト比はチャンネル切り替え前の４：３のままである。その結果、１６：９のアスペクト比で表示すべき映像が水平方向（横方向）において圧縮された状態で表示されている。つまり、チャンネルの切り替えに応じて映像は切り替わっているがアスペクト比の切り替えが間に合っていないという上述の現象が生じ、ユーザにはいびつな映像が提供されてしまう。
図４（ｃ）は、チャンネル切り替え先の映像信号に対応するアスペクト比がスケーラに通知され、その結果、切り替え先の映像に相応しい１６：９のアスペクト比になった状態（適正表示状態）を示している。
【０００７】
また、図５（ａ）〜（ｃ）は、チャンネル切り替えの指示をテレビジョンが入力してから、チャンネル切り替え先の映像信号に対応するアスペクト比がスケーラに通知されアスペクト比が適切に切り替わるまでの間、ブランキング映像表示を継続した場合の画面１００ｂの様子を示している。図５では（ｂ）に示すように、図４（ｂ）に対応する時期もブランキング映像を表示するため、図４（ｂ）に示したようないびつな映像を隠すことができる。しかしその一方で、チャンネル切り替え時のブランキング映像期間が長くなるため、ユーザを不快にさせてしまうという問題がある。
このように従来では、ユーザが視聴対象のチャンネルを任意に切り替えた際の映像のアスペクト比の切り替えの追従性が迅速ではなかったためユーザに不快感を与えていた。なお、上記文献はいずれもこのような問題を解消するものではなかった。
【０００８】
本発明は、上記課題に鑑みてなされたもので、視聴対象のチャンネルの切り替えに応じた映像のアスペクト比の切り替えを、視聴者に不快感を与えること無く迅速に行なうことが可能なデジタル放送信号受像機および放送信号受信装置を提供することを目的とする。
【課題を解決するための手段】
【０００９】
上記目的を達成するために、本発明の放送信号受信装置は、放送信号を受信する受信手段と、受信した放送信号から映像信号を抽出する手段と、所定の画面上に上記映像信号に基づく映像表示を行なう場合に、通知されたアスペクト比情報に応じて映像のアスペクト比を調整するスケーリング手段とを備える。さらに、記録手段は、放送信号の各チャンネルの各番組に対応するアスペクト比情報を所定の記録媒体に記録する。そして、通知手段は、チャンネルの切り替え指示を入力した時に、当該切り替え指示による切り替え先のチャンネルの番組に対応するアスペクト比情報を上記記録媒体から読み出し、当該読み出したアスペクト比情報を上記スケーリング手段に通知する。
【００１０】
すなわち本発明によれば、チャンネルを切り替える際に、切り替え先のチャンネルにかかる映像信号からアスペクト比の情報を取り出してスケーリング手段に通知するのではなく、上記切り替え指示の入力と同時に、切り替え先のチャンネルの番組に対応するアスペクト比情報を記録媒体から読み出してスケーリング手段に通知するため、スケーリング手段へアスペクト比情報が極めて迅速に通知される。従って、スケーリング手段は上記切り替え指示の入力とほぼ同時に、上記通知されたアスペクト比情報に応じて映像のアスペクト比を変更することができ、従来のようにチャンネル切り替え前のアスペクト比のままチャンネル切り替え後の映像を表示してしまう現象を防止できる。
【００１１】
上記記録手段は、受信手段によって受信した放送信号に含まれる情報テーブルであって各番組に関する情報を記述したテーブルから複数日分の各番組に対応するアスペクト比情報を取得し、この取得したアスペクト比情報を上記記録媒体に記録するとしてもよい。
放送信号には、各チャンネルの各番組に関する情報を記述したテーブルがデータとして含まれていることがあり、当該テーブルには複数日分の各番組にかかるアスペクト比情報が記述されている場合がある。そこで、記録手段は放送信号が受信されたときに当該テーブルからアスペクト比情報を取得する処理を予め実行しておくことで、以後、通知手段から読み出しの要求を受けたときにアスペクト比情報を迅速に提供することができる。
【００１２】
上記通知手段は、上記切り替え先のチャンネルの番組に対応するアスペクト比情報が、切り替え前のチャンネルの番組に対応するアスペクト比情報と異なる場合にのみ、スケーリング手段に通知するとしてもよい。例えば、チャンネル切り替え前の番組のアスペクト比が４：３で、切り替え先のチャンネルのアスペクト比も４：３であればアスペクト比を変更する必要はないため、スケーリング手段への上記通知は行なわない。この結果、通知手段の通知作業量を減らすことができる。
【００１３】
上記各構成を踏まえて、デジタル放送信号を受信しデジタル放送信号からトランスポートストリームを抽出するチューナ部と、トランスポートストリームから所定のチャンネルに対応する映像信号を抽出するトランスポート部と、当該抽出された映像信号を復号化するデコード部と、所定の画面上に上記復号された映像信号に基づく映像表示を行なう場合に、通知されたアスペクト比情報に応じて映像のアスペクト比を調整するスケーリング部とを備えるデジタル放送信号受像機において、
受信したデジタル放送信号に含まれているＥＩＴから複数日分の各チャンネルの各番組に対応するアスペクト比情報を取得し当該取得したアスペクト比情報を所定の記録媒体に記録する処理を所定期間毎に行なうとともに、チャンネルの切り替え指示を入力した時に当該切り替え指示による切り替え先のチャンネルの番組に対応するアスペクト比情報を上記記録媒体から読み出し当該読み出したアスペクト比情報を上記スケーリング部に通知する処理を実行する制御部を備える構成を把握することができる。
つまり、デジタル放送信号受像機という具体的製品によっても、上記各放送信号受信装置と同様の作用および効果を発揮する。むろん、上記各放送信号受信装置の各手段や、デジタル放送信号受像機の各部が行なう処理をコンピュータに実行させるプログラムの発明も把握可能である。
【発明を実施するための最良の形態】
【００１４】
以下では、本発明の一実施形態について説明する。
図１は、放送信号受信装置としてのデジタルテレビジョン１１０の概略構成をブロック図により示している。
デジタルテレビジョン（以下、ＴＶと称する。）１１０は概略、デコードモジュール１０と、スケーリングモジュール７０と、表示装置１００とからなる。
まず、ＴＶ１１０によるデジタルテレビジョン放送信号の受信から映像表示までの基本的な流れについて説明する。
【００１５】
デコードモジュール１０は、アンテナ２０ａと、チューナ部２０と、トランスポート部３０と、デコード部４０と、記録媒体５０と、マイクロコンピュータ（以下、マイコンと称する。）６０とを備える。マイコン６０はＣＰＵとＲＯＭとＲＡＭによって構成され、アンテナ２０ａ、チューナ部２０、トランスポート部３０、デコード部４０、記録媒体５０の各部と接続し各部を制御する。アンテナ２０ａはデジタルテレビジョン放送信号を受信し、この放送信号をチューナ部２０に出力する。チューナ部２０は、放送信号を中間周波信号に周波数変換するとともに、アナログ信号としての中間周波信号をデジタル信号に変換し、当該デジタル信号からトランスポートストリーム（ＴＳ）を抽出する。
【００１６】
チューナ部２０は、ＴＳをトランスポート部３０に送出する。トランスポート部３０は、内部にデスクランブル部と、デマルチプレックス部とを備えており、デスクランブル部によってＴＳのスクランブルを解除する処理を行なう。スクランブルが解除されたＴＳは、複数のトランスポートパケットからなり、各トランスポートパケットには映像信号や音声信号や各種データが格納されている。そこでデマルチプレックス部は、マイコン６０によって指示されたチャンネルに対応する映像信号および音声信号をＰＩＤ（パケットＩＤ）に基づいてＴＳから抽出する。ＴＳから抽出された映像信号および音声信号はＭＰＥＧ規格に従って符号化（エンコード）された状態のままである。トランスポート部３０は、映像信号および音声信号をデコード部４０に出力する。デコード部４０は映像信号および音声信号をＭＰＥＧ規格に従って復号化（デコード）する。
【００１７】
復号された映像信号はスケーリングモジュール７０に出力される。スケーリングモジュール７０においては、マイコン９０による指示に基づいてスケーラ８０が映像のアスペクト比を調整する処理を行なう。スケーラ８０は、入力された映像信号が示す画像を水平方向および垂直方向に伸張・圧縮することにより映像のアスペクト比を変換することが可能である。スケーラ８０からはアスペクト比が調整された後の映像信号が表示装置１００に出力され、その結果、表示装置１００の画面１００ａに映像信号に基づいた映像が表示される。表示装置１００としては、液晶表示装置やプラズマディスプレイ装置など各種表示装置を用いることが可能である。
【００１８】
なお、上記復号化された音声信号は図示しない音声信号Ｄ／Ａ変換部に供給されてアナログ音声信号に変換されるとともに、表示装置１００が備えるスピーカ（不図示）に供給され、その結果、スピーカから音声として出力される。
マイコン６０は、ＴＶ１１０本体の表面に設けられた操作キーや外部のリモートコントロール装置（いずれも不図示）から入力される各種指示信号を検知することが可能であり、視聴対象のチャンネルの切り替えもかかる指示信号に基づいて認識する。
【００１９】
次に、本実施形態におけるアスペクト比情報の記録処理について説明する。
デジタルテレビジョン放送信号によって搬送されるＴＳには、映像信号および音声信号の他各種データが多重されており、その一種として番組配列情報（ＳＩ：Service Information）というデータが含まれている。また、ＳＩの一種としてＥＩＴ（Event Information Table）というテーブルデータが存在する。ＥＩＴには、各チャンネルの各番組のタイトルや放送日時や内容等の他、各番組についての映像品質やアスペクト比といった情報が記述されている。通常、ＥＩＴには約１週間先までの各番組についての情報が記述されている。
【００２０】
本実施形態では上記ＥＩＴを利用することにより、複数日分の各チャンネルの各番組についてのアスペクト比の情報（アスペクト比情報）を予め取得する。具体的には、ＴＶ１１０においては、通常のデジタルテレビジョン放送信号の受信から映像表示までの上記処理と並行して、マイコン６０がＴＳに含まれているＥＩＴの特定のビットから各チャンネルの各番組についてのアスペクト比情報を読み出すとともに当該読み出したアスペクト比情報を記録媒体５０に記録する処理を定期的に行なう。この記録処理は例えば１週間に一度の頻度で行なう。
この結果、記録媒体５０には常時１週間分の各チャンネルの各番組についてのアスペクト比情報が保存されていることになる。
【００２１】
次に、本実施形態における、アスペクト比情報の通知処理について説明する。
図２は、マイコン６０が実行するアスペクト比情報の通知処理をフローチャートにより示している。
ステップＳ（以下、ステップの表記を省略）２００では、マイコン６０は、上記操作キーやリモートコントロール装置からチャンネルの切り替えを指示する切替指示信号を入力したか否かを判定しており、切替指示信号の入力を検知した場合にＳ２１０以下の処理に進む。
【００２２】
Ｓ２１０では、マイコン６０は、切替指示信号が指示する切り替え先のチャンネルにかかる番組であって、当該切替指示信号を入力した時刻の番組についてのアスペクト比情報を記録媒体５０から読み出す。
Ｓ２２０では、マイコン６０は、上記読み出したアスペクト比情報を、スケーリングモジュール７０のマイコン９０に通知する。マイコン６０からマイコン９０へのアスペクト比情報の通知は、本実施形態ではＵＡＲＴ通信用の回路を用いて行なう。
【００２３】
スケーリングモジュール７０の側では、アスペクト比情報の通知を受けたら、マイコン９０はこのアスペクト比情報に応じたアスペクト比の調整をスケーラ８０に指示する。スケーラ８０は、デコード部４０から出力されてきた映像信号のアスペクト比をマイコン９０に指示されたアスペクト比情報に応じて調整し、表示装置１００に出力する。この場面においてデコード部４０からスケーラ８０に出力される映像信号とは、むろん上記切替指示信号によって指示された切り替え先のチャンネルに対応する映像信号である。
【００２４】
図３は、本発明にかかる上記通知処理を実行した場合の表示装置１００における映像表示の切り替わりの様子を示している。
同図においても、図４，５と同様に、表示装置１００の画面１００ａは横縦比が１６：９であり、また、チャンネル切り替え前に表示していた映像のアスペクト比は４：３であり、切り替え後に表示する映像のアスペクト比は１６：９であるものとする。
【００２５】
図３（ａ）は、図４（ａ）、図５（ａ）と同様に、ユーザの上記操作キーやリモートコントロール装置の操作によって切替指示信号が入力された直後における選局処理中の画面（ブランキング映像）を示している。
図３（ｂ）は、上記選局処理が終わりスケーラ８０から表示装置１００に対して上記切り替え先のチャンネルに対応する映像信号が出力されるようになった瞬間の画面を示している。同図に示すように、選局処理の終了後は、上記切り替え先のチャンネルに対応する映像が始めからその映像に対応するアスペクト比（１６：９）で表示され、図４（ｂ）に示したようないびつな映像が表示されることがない。また、図４（ｂ）に示したいびつな映像が生じないため、これを隠すために図５のようにブランキング映像期間を長くする必要もない。
【００２６】
このように本発明によれば、ＴＶ１１０は、デジタルテレビジョン放送信号に重畳されている各チャンネルの各番組についてのアスペクト比情報を、デジタルテレビジョン放送信号から定期的に抽出して記録媒体５０に記録し、その一方、外部からチャンネルの切り替えの指示を入力した場合には、直ちに当該指示による切り替え先のチャンネルの番組に対応したアスペクト比情報を記録媒体５０から読み出して、スケーラ８０を制御するマイコン９０に通知する。よって、上記切り替えの指示の入力後、切り替え先のチャンネルにかかる映像信号をＴＳから抽出し、抽出した映像信号に周期的に記述されているアスペクト比の識別信号を取得し、この取得した識別信号をスケーラ８０を制御するマイコン９０に通知していた従来の手法と比較して、スケーラ８０側へアスペクト比情報を通知するために要する時間を大幅に短縮することができる。
【００２７】
従って、チャンネル切り替えによって映像を切り替えた場合には、映像の切り替わりと同時にアスペクト比も切り替え先の映像に対応したアスペクト比となる。そして、従来見られたような、チャンネル切り替え前のアスペクト比のままチャンネル切り替え後の映像が表示されていびつな表示となる現象は生じない。また、いびつな表示を隠すためにブランキング映像期間を長めに確保する必要もない。従って、ユーザは極めて迅速かつ快適なチャンネル切り替えを行なうことができる。
【００２８】
なお、図２の説明では、マイコン６０は、記録媒体５０からアスペクト比情報を読み出したらこれをマイコン９０に通知するとしたが、読み出したアスペクト比情報が、前回の通知時にマイコン９０に知らせたアスペクト比情報と異なるか否か判断する工程を、Ｓ２１０とＳ２２０との間に入れても良い。かかる判断の工程を入れた場合には、Ｓ２２０では、上記工程において異なると判断された場合にのみ、Ｓ２１０で記録媒体５０から読み出したアスペクト比情報をマイコン９０に通知する。つまり、チャンネルの切り替え前後において映像のアスペクト比が変化しないならば、アスペクト比情報を逐一スケーラ８０側に通知する必要もない。また、上記判断の工程を挟むことで、マイコン６０からマイコン９０に対して行なう通信処理の量を減らすことができる。
【図面の簡単な説明】
【００２９】
【図１】デジタルテレビジョンの概略構成を示したブロック図。
【図２】通知処理の内容を示したフローチャート。
【図３】本発明におけるチャンネル切り替えに伴う映像表示の切り替わりを示した図。
【図４】従来におけるチャンネル切り替えに伴う映像表示の切り替わりを示した図。
【図５】従来におけるチャンネル切り替えに伴う映像表示の切り替わりを示した図。
【符号の説明】
【００３０】
１０…デコードモジュール
２０…チューナ部
３０…トランスポート部
４０…デコード部
５０…記録媒体
６０，９０…マイクロコンピュータ
７０…スケーリングモジュール
８０…スケーラ
１００…表示装置
１００ａ，１００ｂ…画面
１１０…デジタルテレビジョン
【図１】
2008141500.tif 000003
【図２】
2008141500.tif 000004
【図３】
2008141500.tif 000005
【図４】
2008141500.tif 000006
【図５】
2008141500.tif 000007